(57)【要約】【課題】測定要素が異なる所要数の複数の測定データを用いて所定の評価値を導出する測定作業を支援し、その作業効率を充分に向上させる。【解決手段】色測定を行う測定対象物画像５１０をグラフィック表示させる。この測定対象物画像５１０上で区画された第１測定領域Ｒ１〜第６測定領域Ｒ６を、各々の領域について測定の開始指示を受け付ける部位として機能させる。これら測定領域には、各測定領域の測定が実行済みであるか否かを識別させるために識別表示部Ｎ１〜Ｎ６が付随されている。第１測定領域Ｒ１〜第６測定領域Ｒ６の全ての測定データが揃ったことが確認されると、これら測定データを読み出して所定の評価値が導出される。【選択図】図６
2008083003.tif 000002
【特許請求の範囲】
【請求項１】
所要数の複数の測定データを用いて所定の評価値を導出する測定システムであって、
測定対象物について所定の測定を行いその測定データを取得する測定手段と、
前記測定に関する各種の表示を行う表示手段と、
前記表示手段に、前記測定対象物について測定を行うべき複数の測定要素を視覚的に明示する選択情報を含む状態で当該測定対象物に対応するイメージ情報を表示させると共に、前記選択情報に付随させて測定実行済であるか否かを識別させる識別表示部を表示させる表示制御手段と、
前記表示手段に表示された前記選択情報の各々を、それぞれの選択情報に係る測定要素における測定の開始指示を受け付ける部位として機能させ、前記開始指示を受けて前記測定手段による測定を実行可能な状態にさせると共に、測定が実行された測定要素の前記識別表示部に測定実行済を示す表示を行わせる測定制御手段と、
前記測定により取得された測定データを、前記測定要素を特定する情報に関連付けて記憶する記憶手段と、
前記記憶手段に記憶された測定データを読み出して、前記評価値を導出する演算を行う演算手段と、
前記演算手段による前記評価値の導出に際し、演算に必要な複数の測定データが取得されているか否かを判定するデータ確認手段と
を備えることを特徴とする測定システム。
【請求項２】
前記選択情報が、前記測定対象物について測定を行うべき複数の領域を前記測定要素として視覚的に区画したものからなり、
前記イメージ情報が、前記領域が視覚的に区画された状態の当該測定対象物の画像若しくはこれを模擬したものの画像であって、
前記測定制御手段は、前記表示手段に表示された前記領域の各々を、それぞれの領域に対する測定の開始指示を受け付ける部位として機能させることを特徴とする請求項１に記載の測定システム。
【請求項３】
前記識別表示部が、少なくとも数字、文字、記号又は絵記号を含む群から選ばれる１又は複数の識別子が前記領域毎に割り当てられたものからなり、
前記測定制御手段は、測定実行済を示す表示として、前記識別子に所定の付加情報を重畳させることを特徴とする請求項１又は２に記載の測定システム。
【請求項４】
前記測定要素毎に、測定の開始指示を与えるための選択手段をさらに備えることを特徴とする請求項１に記載の測定システム。
【請求項５】
前記記憶手段に記憶された測定データを選択的に消去するデータ整理手段を備え、
該データ整理手段は、前記表示手段に表示された前記選択情報に所定の操作指示が与えられた場合に、その測定要素について取得されている既存の測定データを前記記憶手段から消去すると共に、
前記測定制御手段は、消去された測定要素に対応する選択情報に付随する識別表示部の測定実行済の表示を、測定実行未済に変更することを特徴とする請求項１〜４のいずれかに記載の測定システム。
【請求項６】
前記データ整理手段は、所定の第１の測定要素と、これとは異なる一又は複数の測定要素である第２の測定要素とが互いに連関した測定要素であることを示す連関情報を読み出し可能とされており、
前記データ整理手段は、第１の測定要素に対応する選択情報に前記操作指示が与えられた場合に、第１の測定要素及び第２の測定要素について取得されている既存の測定データを前記記憶手段から消去することを特徴とする請求項５に記載の測定システム。
【請求項７】
前記測定要素毎に、取得が予定される測定データの値の範囲を振り分け基準値として記憶する基準値記憶手段と、
前記振り分け基準値に基づき、前記測定手段で取得された測定データの測定要素を判別する判別手段とをさらに備えることを特徴とする請求項１〜６のいずれかに記載の測定システム。
【請求項８】
請求項１〜７のいずれかに記載の測定システムの構成要素が、１つの筐体内に収容されていることを特徴とする測定システム。
【請求項９】
前記測定対象物が、色特性の異なる複数の領域を含む物品であり、
前記測定手段が、測色計であることを特徴とする請求項１〜８のいずれかに記載の測定システム。
【請求項１０】
前記測定対象物が、立体形状を備えた物品であり、
前記測定手段が、三次元形状計測器であることを特徴とする請求項１〜８のいずれかに記載の測定システム。
【請求項１１】
表示手段、記憶手段及びデータ処理手段を含み、測定対象物について所定の測定を行って得られた所要数の複数の測定データを用いて所定の評価値を導出する測定システムを動作させるプログラムであって、前記データ処理手段に、
前記表示手段へ、前記測定対象物について測定を行うべき複数の測定要素を視覚的に明示する選択情報を含む状態で当該測定対象物に対応するイメージ情報を表示させると共に、前記選択情報に付随させて測定実行済であるか否かを識別させる識別表示部を表示させる処理と、
前記表示手段に表示された前記選択情報の各々を、それぞれの選択情報に係る測定要素における測定の開始指示を受け付ける部位として機能させ、前記開始指示を受けて所定の測定手段に測定を実行させる制御信号を生成する処理と、
前記測定が実行された測定要素の前記識別表示部に測定実行済を示す表示を行わせる処理と、
前記記憶手段に、前記測定により取得された測定データを、前記測定要素を特定する情報に関連付けて記憶させる処理と、
前記記憶手段に記憶された測定データを読み出して、前記評価値を導出する演算を行う処理と、
前記評価値の導出に際し、演算に必要な複数の測定データが取得されているか否かを判定する処理と
を実行させることを特徴とする測定システムの動作プログラム。
【発明の詳細な説明】
【技術分野】
【０００１】
本発明は、測定位置、対象又は条件等が異なる複数の測定データを用いて所定の評価値を導出する測定システム、及びその動作プログラムに関する。
【背景技術】
【０００２】
例えば複数の測定位置、対象又は条件等、複数の測定要素の測定データを取得し、これら測定データを用いて所定の評価値を算出するような場合、作業者は、手作業により複数の測定要素ごとの測定を実施し、取得された測定データを集計した上で、前記評価値を求めるための計算を実施することがある。この場合、測定要素の測定完了／未完了については作業者の記憶に頼るしかなく、同一測定要素の余分な測定による作業効率の低下、または、測定抜けといった作業ミスが惹起されることがあった。また、測定要素と測定データとの関連付けについても、作業者自身がその関連付けの記録を行なう必要があり、作業効率を低下させる要因となっていた。
【０００３】
従来、このような複数の測定要素の測定を要する測定作業を支援するシステムとして、特許文献１に開示されたものがある。特許文献１のシステムは、複数の測定位置を測定要素とする測定作業を支援するためのシステムであり、測定位置の選択画面をディスプレイ上に表示させ、ディスプレイ上で作業者が測定位置を選択することにより当該測定位置での測定作業を行わせ、選択した測定位置に対応した測定データを取得保存することができるというものである。
【特許文献１】特開２００３−２８６７６号公報
【発明の開示】
【発明が解決しようとする課題】
【０００４】
しかしながら特許文献１のシステムは、単にディスプレイ上に測定位置を表示させ、選択された測定位置で取得された測定データを保存するという支援システムに止まる。すなわち、複数の測定データの収集を容易且つ確実にする支援システムである。このため、特許文献１のシステムでは、収集された測定データをベースとして、目的とする評価値を算出する作業を改めて行なう必要があり、上述したような評価値を求める作業効率の向上にはさほど貢献しない。従って、所要数の測定データが揃うことを条件に、別途定められた評価値を、これら測定データを用いて算出するための支援システムとしては不十分と言わざるを得ない。
【０００５】
本発明は、かかる事情に鑑みてなされたもので、測定要素が異なる所要数の複数の測定データを用いて所定の評価値を導出する測定作業を支援し、その作業効率を充分に向上させることができる測定システム及びその動作プログラムを提供することを目的とする。
【課題を解決するための手段】
【０００６】
本発明の請求項１に係る測定システムは、所要数の複数の測定データを用いて所定の評価値を導出する測定システムであって、測定対象物について所定の測定を行いその測定データを取得する測定手段と、前記測定に関する各種の表示を行う表示手段と、前記表示手段に、前記測定対象物について測定を行うべき複数の測定要素を視覚的に明示する選択情報を含む状態で当該測定対象物に対応するイメージ情報を表示させると共に、前記選択情報に付随させて測定実行済であるか否かを識別させる識別表示部を表示させる表示制御手段と、前記表示手段に表示された前記選択情報の各々を、それぞれの選択情報に係る測定要素における測定の開始指示を受け付ける部位として機能させ、前記開始指示を受けて前記測定手段による測定を実行可能な状態にさせると共に、測定が実行された測定要素の前記識別表示部に測定実行済を示す表示を行わせる測定制御手段と、前記測定により取得された測定データを、前記測定要素を特定する情報に関連付けて記憶する記憶手段と、前記記憶手段に記憶された測定データを読み出して、前記評価値を導出する演算を行う演算手段と、前記演算手段による前記評価値の導出に際し、演算に必要な複数の測定データが取得されているか否かを判定するデータ確認手段とを備えることを特徴とする。
【０００７】
この構成によれば、表示手段に、複数の測定要素を視覚的に明示する選択情報が表示されるので、作業者は複数の測定要素の全容を把握することができる。さらに、この選択情報が測定の開始指示を受け付ける部位として機能し、測定が実行された測定要素の識別表示部に測定実行済を示す表示が行われるので、作業者は各測定要素の測定作業の進捗を把握することが可能となる。従って、どのような順序で測定要素の測定を行ったとしても、その進捗を確認できることから、同一測定要素の重複測定や測定抜けを抑止することができる。
【０００８】
また、測定により取得された測定データは、記憶手段に測定要素を特定する情報に関連付けて記憶されるので、作業者は測定データを自身で記録する必要がない。さらに、評価値の導出演算に必要な複数の測定データが取得されているか否かを判定するデータ確認手段を備えているので、評価値の導出に必要な測定データが揃った段階で、演算手段に自動的に評価値を求める演算を実行させることが可能となる。
【０００９】
上記構成において、前記選択情報が、前記測定対象物について測定を行うべき複数の領域を前記測定要素として視覚的に区画したものからなり、前記イメージ情報が、前記領域が視覚的に区画された状態の当該測定対象物の画像若しくはこれを模擬したものの画像であって、前記測定制御手段は、前記表示手段に表示された前記領域の各々を、それぞれの領域に対する測定の開始指示を受け付ける部位として機能させる構成とすることができる（請求項２）。
【００１０】
この構成によれれば、作業者は、表示手段に表示された測定対象物に関する画像上で測定領域を適宜選択することで、その測定領域についての測定を実行させることができる。また、その測定領域に付随する識別表示部に、測定実行済を示す表示が行われる。これにより作業者は、測定対象物の画像上で表された測定領域と測定の進捗とを視覚的に明確に把握しながら測定作業を行うことができるので、測定作業を確実に且つより効率良く実行させることが可能となる。
【００１１】
上記いずれかの構成において、前記識別表示部が、少なくとも数字、文字、記号又は絵記号を含む群から選ばれる１又は複数の識別子が前記領域毎に割り当てられたものからなり、前記測定制御手段は、測定実行済を示す表示として、前記識別子に所定の付加情報を重畳させることが望ましい（請求項３）。
【００１２】
この構成によれば、例えば測定要素（選択情報）ごとに割り振られた通し数字又はチェックボックスを識別表示部とし、測定が完了したら前記数字又はチェックボックスに「レ点」を上書きするというような、万人に理解が容易な態様で識別表示部を構成することができる。
【００１３】
また、上記構成において、前記測定要素毎に、測定の開始指示を与えるための選択手段をさらに備えることが望ましい（請求項４）。この構成によれば、測定要素（選択情報）に対する測定開始指示を、マウス等の選択手段により簡単に与えることができる。
【００１４】
上記いずれかの構成において、前記記憶手段に記憶された測定データを選択的に消去するデータ整理手段を備え、該データ整理手段は、前記表示手段に表示された前記選択情報に所定の操作指示が与えられた場合に、その測定要素について取得されている既存の測定データを前記記憶手段から消去すると共に、前記測定制御手段は、消去された測定要素に対応する選択情報に付随する識別表示部の測定実行済の表示を、測定実行未済に変更する構成とすることが望ましい（請求項５）。
【００１５】
この構成によれば、同一形態の測定対象物を連続的に複数測定するような場合に、前回の測定対象物について取得されている１つの測定要素の測定データが、今回の測定対象物について前記１つの測定要素の選択情報に操作指示が与えられることを契機として、記憶手段から消去される。また、その識別表示部の測定実行済の表示が、測定実行未済に変更される。従って、今回の測定対象物の評価値導出に前回の測定対象物の測定データが用いられてしまう不都合はなく、いちいち測定データや識別表示部のリセットを行う負担を作業者に課すことがない利点がある。
【００１６】
この場合、前記データ整理手段は、所定の第１の測定要素と、これとは異なる一又は複数の測定要素である第２の測定要素とが互いに連関した測定要素であることを示す連関情報を読み出し可能とされており、前記データ整理手段は、第１の測定要素に対応する選択情報に前記操作指示が与えられた場合に、第１の測定要素及び第２の測定要素について取得されている既存の測定データを前記記憶手段から消去することが望ましい（請求項６）。
【００１７】
この構成によれば、同一形態の測定対象物を連続的に複数測定するような場合に、ある測定要素の群については各測定対象物共通で１つの測定対象物について測定を行えば良いが、他の測定要素の群については個々の測定対象物について測定を要するというようなケースにおいて、前記他の測定要素の群のいずれかに操作指示が与えられると、これを契機として、それらについて先に取得されている既存の測定データが記憶手段から消去される。従って、一層作業効率を向上させることができる。
【００１８】
上記いずれかの構成において、前記測定要素毎に、取得が予定される測定データの値の範囲を振り分け基準値として記憶する基準値記憶手段と、前記振り分け基準値に基づき、前記測定手段で取得された測定データの測定要素を判別する判別手段とをさらに備えることが望ましい（請求項７）。
【００１９】
この構成によれば、作業者がイメージ画像上で与えた測定要素と、実際に測定手段にて測定された測定要素とが異なってしまったような場合に、判別手段によりその測定で取得された測定データの測定要素を振り分け基準値に基づき判別することで、測定データが誤った測定要素に関連付けて記憶手段に記憶されてしまうことを未然に防止することができる。
【００２０】
上記いずれかの構成において、当該測定システムの構成要素が、１つの筐体内に収容されていることが望ましい（請求項８）。この構成によれば、上記の測定システムの構成要素が一体的に筐体へ搭載された態様で当該測定システムを提供できるので、取り扱い性や携帯性に優れた測定システムとすることができる。
【００２１】
上記いずれかの構成において、前記測定対象物が、色特性の異なる複数の領域を含む物品であり、前記測定手段が、測色計であることは、好ましい実施態様の一つである（請求項９）。また、前記測定対象物が、立体形状を備えた物品であり、前記測定手段が、三次元形状計測器であることも、好ましい実施態様の一つである（請求項１０）。
【００２２】
本発明の請求項１１に係る測定システムの動作プログラムは、表示手段、記憶手段及びデータ処理手段を含み、測定対象物について所定の測定を行って得られた所要数の複数の測定データを用いて所定の評価値を導出する測定システムを動作させるプログラムであって、前記データ処理手段に、前記表示手段へ、前記測定対象物について測定を行うべき複数の測定要素を視覚的に明示する選択情報を含む状態で当該測定対象物に対応するイメージ情報を表示させると共に、前記選択情報に付随させて測定実行済であるか否かを識別させる識別表示部を表示させる処理と、前記表示手段に表示された前記選択情報の各々を、それぞれの選択情報に係る測定要素における測定の開始指示を受け付ける部位として機能させ、前記開始指示を受けて所定の測定手段に測定を実行させる制御信号を生成する処理と、前記測定が実行された測定要素の前記識別表示部に測定実行済を示す表示を行わせる処理と、前記記憶手段に、前記測定により取得された測定データを、前記測定要素を特定する情報に関連付けて記憶させる処理と、前記記憶手段に記憶された測定データを読み出して、前記評価値を導出する演算を行う処理と、前記評価値の導出に際し、演算に必要な複数の測定データが取得されているか否かを判定する処理とを実行させることを特徴とする。
【発明の効果】
【００２３】
本発明によれば、所要数の複数の測定データを取得し該測定データを用いて所定の評価値を導出する測定作業において、どのような順序で測定要素の測定を行ったとしても、その進捗を確認できることから、同一測定要素の重複測定や測定抜けを抑止することができる。従って、作業者は自身に都合の良いよう任意に測定順序を設定でき測定の自由度が担保される一方で、測定ミスを防止することができる。また、作業者は測定データを自身で記録する必要がないので、作業効率を向上させることができる。加えて、評価値の導出に必要な測定データが揃った段階で演算手段に自動的に評価値を求める演算を実行させ得るので、効率良く評価値を導出することができる。このように本発明によれば、測定ミスを防ぎ、評価値の導出に必要な測定データを確実に収集し、効率良く評価値を得るための支援を行うことができる測定システム及びその動作プログラムを提供することができる。
【発明を実施するための最良の形態】
【００２４】
以下、図面に基づいて本発明の実施形態につき詳細に説明する。本実施形態では、試料の色測定に本発明を適用するケースを例示する。
【００２５】
図１は、本発明の実施形態に係る測定システムＳのハード構成を示す構成図である。この測定システムＳは、パーソナルコンピュータ１とマルチアングル型の測色計２（測定手段）とが、信号ケーブル１０１で接続されて構成されている。パーソナルコンピュータ１は、データ処理及びデータ保存機能等を備える本体部１１（表示制御手段、測定制御手段、記憶手段、演算手段及びデータ確認手段を含む）と、操作部１２（選択手段）と、表示部１３（表示手段）とを備える。
【００２６】
測色計２は、測色対象物に対して検査光を投光すると共にその反射光を受光し、受光された検査光の分光強度データを測定するものである。この測色計２は、前記検査光の投受光を行うためのマルチアングル型の照明系及び受光系を含む測定構成要素が収容された細長い箱形を呈する本体ケース２ｅ（筐体）で全体が構成され、該本体ケース２ｅの底壁面が測定開口面２０とされており、前記測定開口面２０には適宜な形状（例えば楕円形）の測定用開口２ａが穿設されている。この他、本体ケース２ｅには、ターゲットとする試料面を目視可能とするためのファインダ２ｂ、測定結果等を表示すべく頂面に配置されたＬＣＤ等からなる表示部２ｃ、作業者が簡単に握り持ってハンドリングできるようにするためのグリップ部２ｄ等が配設されている。測定に際しては、作業者が測定用開口２ａを測定対象物に対向させ、前記照明系及び受光系を動作させて検査光の投受光が行われる。
【００２７】
このような測色計２は、塗料や顔料の品質評価に好適に用いられている。図２は、塗料や顔料の品質評価において用いられるサンプル品２１（友引サンプルと呼ばれている）の一例を示す斜視図である。このサンプル品２１は、白下地２２１と黒下地２２２とを半面ずつ表面に有する基板２２の上に、塗料（顔料）塗布層２３ａ、２３ｂを形成したものからなる。塗料塗布層２３ａ、２３ｂは、白下地２２１及び黒下地２２２の双方に跨るように塗布されている。なお、通常は一方の塗料塗布層２３ａが標準サンプル、他方の塗料塗布層２３ｂが比較サンプルである。
【００２８】
色品質の評価のために、測色計２の測定用開口２ａへ上記のようなサンプル品２１の各部が対向配置され、検査光の投受光を行って測定データ（分光強度データ）が取得される。具体的な測定領域は、図２に矢印Ｍ１〜Ｍ６で示すように、白下地２２１の上（Ｍ１）、黒下地２２２の上（Ｍ２）、塗料塗布層２３ａが塗布された白下地２２１の上（Ｍ３）、塗料塗布層２３ａが塗布された黒下地２２２の上（Ｍ４）、塗料塗布層２３ｂが塗布された白下地２２１の上（Ｍ５）、及び塗料塗布層２３ｂが塗布された黒下地２２２の上（Ｍ６）である。これら矢印Ｍ１〜Ｍ６の領域の測定データの全てを使用して、Ｋ／Ｓ値（吸光と散乱の評価指数）、着色力値、隠蔽力値等の評価値が導出される。
【００２９】
このような塗料や顔料の品質評価においては、異なる条件下の複数の測定作業により測定データを取得し評価値を算出していることから、作業過程の見失い、条件と測定値のミスマッチが発生することがある。作業ミスを防ぐために作業手順を固定化することも考えられるが、作業の固定化により効率が落ちてしまう懸念がある。実施形態に係る測定システムＳは、このような不具合を解消することができるシステムである。
【００３０】
本実施形態では、測色計２とパーソナルコンピュータ１とで構成される測定システムＳを例示しているが、当該システムのハード構成は任意であり、例えば測色計２にパーソナルコンピュータ１のデータ処理及びデータ保存機能等を具備させるようにしても良い。すなわち、測色計２の本体ケース２ｅ内に、当該測定システムＳの構成要素を一体的に搭載するようにしても良い。この実施態様によれば、測定システムＳの構成要素が測色計２に一体的に搭載された態様で当該測定システムを提供できるので、取り扱い性や携帯性に優れた測定システムとすることができる。
【００３１】
図３は、図１に示した測定システムＳ（パーソナルコンピュータ１）の電気的構成を示す概略ブロック図である。パーソナルコンピュータ１は、上述の通り本体部１１、操作部１２及び表示部１３を備える。本体部１１は、測色計２の測定動作を制御すると共に、測色計２により取得された測定データに基づき所定の評価値を求める演算処理を行う。本体部１１は、一時的に測定データや演算データ等を格納するＲＡＭ（Random Access Memory）４１、各種の制御プログラム等を記憶するＲＯＭ（Read Only Memory）４２、及び制御プログラム等をＲＯＭから読み出して実行するＣＰＵ（Central Processing Unit）３を含む。この本体部１１の機能構成については、図４に基づき後記で詳述する。
【００３２】
操作部１２は、本体部１１に接続されるマウスからなり、本体部１１や測色計２に対して所定の処理動作や測定動作を行わせる指示信号を与えるためのものである。特に本実施形態では、表示部１３に表示された測定対象物（上記サンプル品２１）のグラフィック表示（イメージ情報）から、作業者が測定領域を選択する操作に活用される。なお、操作部１２として、マウスの代わりにキーボードやタッチパネル等を適用しても良い。
【００３３】
表示部１３は、色測定に関する各種の表示を行うためのものであり、例えば、液晶表示装置（ＬＣＤ；Liquid Crystal Display）、ＣＲＴ（Cathode Ray Tube）、プラズマ表示装置等からなる。本実施形態では、色測定を行うべき複数の測定領域が視覚的に区画された状態の測定対象物のグラフィック表示、色の測定データの表示及びこの測定データから求められる評価値の表示等が行われる。
【００３４】
図４は、パーソナルコンピュータ１の機能的な詳細構成を示す機能ブロック図である。ＣＰＵ３は、機能的に、表示制御部３１（表示制御手段）、測定制御部３２（測定制御手段）、演算処理部３３（演算手段）、測定データ確認部３４（データ確認手段）、データ整理部３５（データ整理手段）及びデータ振り分け部３６（判別手段）を備えて構成されている。また、ＲＡＭ４１は、表示データ記憶部４１１、測定データ記憶部４１２及び基準値記憶部４１３（基準値記憶手段）を備えて構成されている。
【００３５】
表示制御部３１は、表示部１３に、サンプル品２１について測定を行うべき複数の測定要素を視覚的に明示する選択情報を含む状態で、サンプル品２１に対応するイメージ情報を表示させる制御を行う。また表示制御部３１は、前記選択情報に付随させて、その測定要素が測定実行済であるか否かを識別させる識別表示部を表示させる制御を行う。このような表示データは、ＲＡＭ４１の表示データ記憶部４１１に格納されており、表示制御部３１は、かかる表示データを適宜読み出して表示部１３に表示させる。
【００３６】
図５は、表示制御部３１により表示部１３に表示される画像の一例である測定ナビゲーション画面５０を示す平面図である。この測定ナビゲーション画面５０には、グラフィック表示部５１、測定データ表示部５２及び評価値表示部５３が含まれている。グラフィック表示部５１には、サンプル品２１の被測定面を平面視した写真画像、サンプル品２１を模擬した着色図面の画像やデフォルメ画像などが、色測定を行う複数の測定領域（測定要素）が視覚的に区画された状態で表示される。測定データ表示部５２には、サンプル品２１の測定領域毎に取得された測定データ（若しくは演算データ）が各々数値データとして表示される。さらに、評価値表示部５３には、前記測定データに基づいて導出された当該サンプル品２１の色の評価値が数値データとして表示される。
【００３７】
図６は、グラフィック表示部５１に表示されるサンプル品２１の画像（測定対象物画像５１０）を拡大して示す平面図である。測定対象物画像５１０は、図２に示したサンプル品２１の白下地２２１の部分に相当する白色部分５１１、黒下地２２２の部分に相当する黒色部分５１２、標準サンプルとしての塗料塗布層２３ａの部分に相当する第１塗布部分５１３及び比較サンプルとしての塗料塗布層２３ｂの部分に相当する第２塗布部分５１４を有し、これらの部分の各輪郭線が視認可能に表示されている。
【００３８】
このような表示により測定対象物画像５１０は、６種の測定領域に視覚的に区画されている。すなわち、塗料塗布層２３ａ、２３ｂが上塗りされていない白色部分５１１からなる第１測定領域Ｒ１、同じく塗料塗布層２３ａ、２３ｂが上塗りされていない黒色部分５１２からなる第２測定領域Ｒ２（図６の例では３箇所に分散している）、白色部分５１１の上に標準サンプルとしての塗料塗布層２３ａが塗布された第３測定領域Ｒ３、黒色部分５１２の上に塗料塗布層２３ａが塗布された第４測定領域Ｒ４、白色部分５１１の上に比較サンプルとしての塗料塗布層２３ｂが塗布された第５測定領域Ｒ５、及び黒色部分５１２の上に塗料塗布層２３ｂが塗布された第６測定領域Ｒ６に視覚的に区画されている。
【００３９】
これら６つの区画は、図２に矢印Ｍ１〜Ｍ６で指し示した測定領域に対応し、これらの区画そのものがサンプル品２１について測定を行うべき複数の測定要素（本実施形態では測定位置）を視覚的に明示する選択情報となる。このように、サンプル品２１の画像上の区画そのものを選択情報とするのではなく、例えば測定内容を記述したボタン画像を選択情報としても良い（図１３に基づき後述する）。
【００４０】
そして、上記第１測定領域Ｒ１〜第６測定領域Ｒ６の各々には、丸数字の「１」〜「６」が割り当てられている。これらの丸数字は、各測定領域の測定が実行済みであるか否かを識別可能とさせるために、第１測定領域Ｒ１〜第６測定領域Ｒ６にそれぞれ付随表示させた識別表示部Ｎ１〜Ｎ６である。ここでは、識別表示部として各測定領域に丸数字を１つずつ割り当てる例を示したが、これに替えて、ローマ数字、平仮名、カタカナ、漢数字、アルファベットなどの各種数字や文字、或いは各種の記号や絵記号等からなる識別子を、１又は複数個ずつ割り当てるようにしても良い。
【００４１】
測定データ表示部５２には、標準サンプルと比較サンプルの各々について、吸収係数、散乱係数、Ｋ／Ｓ値を表示する欄が設けられている。これらのパラメータは、標準サンプルについては第１測定領域Ｒ１〜第４測定領域Ｒ４の分光反射率測定データから、比較サンプルについては第１、第２、第５、第６測定領域Ｒ１、Ｒ２、Ｒ５、Ｒ６の分光反射率測定データから算出される。評価値表示部５３には、吸収係数比、散乱係数比、Ｋ／Ｓ比を表示する欄が設けられている。これらの評価値は、標準サンプル及び比較サンプルの吸収係数、散乱係数、Ｋ／Ｓ値に基づき算出される。
【００４２】
図４に戻って、測定制御部３２は、グラフィック表示部５１に表示された測定対象物画像５１０の第１測定領域Ｒ１〜第６測定領域Ｒ６の各々を、それぞれの測定領域の色測定の開始指示を受け付ける部位として機能させる制御を行う。そして、操作部１２から第１測定領域Ｒ１〜第６測定領域Ｒ６のいずれかに対して与えられる開始指示を受けて、測色計２による当該測定領域の測定を実行させる（若しくは測定を実行可能な状態にさせる）。例えば、作業者によりマウスのポインタで測定を企図する第１測定領域Ｒ１〜第６測定領域Ｒ６のいずれかの領域がポインティングされ、そこでクリック操作が与えられることを契機として、測色計２が測定動作を開始するよう、測定制御部３２は制御を行う。
【００４３】
なお、作業者は、色測定の開始指示を与える前に、サンプル品２１の測定を企図する測定領域に測色計２の測定用開口２ａ（図１）を移動させる。例えば第３測定領域Ｒ３の測色を行う場合は、作業者は測色計２のグリップ部２ｄを把持して、測定用開口２ａを図２に示すサンプル品２１の矢印Ｍ３の箇所へ配向させる。その上で、マウスで第３測定領域Ｒ３をポインティングしクリック操作を与えて当該領域の測色を開始させるものである。
【００４４】
また、測定制御部３２は、測定が実行された測定領域に付随する識別表示部Ｎ１〜Ｎ６に、測定実行済を示す表示を行わせる制御を行う。図７に、測定実行済表示の一例を示す。ここでは、識別表示部Ｎ１〜Ｎ６に付加情報としての「レ点」を重畳表示させる例を示している。なお、「レ点」は一例であり、「レ点」に代わる文字、記号、キャラクタ等を重畳表示させたり、識別表示部を変色或いは点滅させたりする態様としても良い。
【００４５】
図７（ａ）は、第１測定領域Ｒ１の識別表示部Ｎ１と第３測定領域Ｒ３の識別表示部Ｎ３とにそれぞれ、測定実行済表示Ｐ１、Ｐ３が上書き表示されている状態を示している。この表示状態は、第１測定領域Ｒ１及び第３測定領域Ｒ３についての測定が完了していることを意味する。一方、図７（ｂ）は、第１測定領域Ｒ１〜第６測定領域Ｒ６の識別表示部Ｎ１〜Ｎ６の全てに、測定実行済表示Ｐ１〜Ｐ６が上書き表示されている状態を示している。この表示状態は、第１測定領域Ｒ１〜第６測定領域Ｒ６の全てについての測定が完了していることを意味する。このような表示が行われるので、作業者はどのような順序で測定要素の測定を行ったとしてもその進捗を確認できることから、同一測定領域の重複測定や測定抜けを抑止することができる。従って、作業者は自身に都合の良いよう任意に測定順序を設定でき測定の自由度が担保される一方で、測定ミスを防止することができる。
【００４６】
さらに、測定制御部３２は、測色計２から測定データを受領し、該測定データをＲＡＭ４１の測定データ記憶部４１２へ書き込む制御を行う。この場合、測定制御部３２は、第１測定領域Ｒ１〜第６測定領域Ｒ６のいずれかに与えられた測定開始指示信号に基づき、どの測定領域から得られた測定データかを特定可能な識別情報を付帯させることで、測定領域と測定データとを関連付けて測定データ記憶部４１２へ測定データを記録する。
【００４７】
演算処理部３３は、測定データ記憶部４１２に記憶された測定データを読み出して、該測定データに基づき所定の評価値を導出するための演算を行う。この演算結果は、表示部１３に表示される。なお、演算処理部３３による演算処理は、次述の測定データ確認部３４から演算開始指示信号が与えられることを条件として開始される。
【００４８】
測定データ確認部３４は、演算処理部３３による評価値等の導出に際し、演算に必要な複数の測定データが取得されているか否かを判定する。演算に必要な測定データが揃っていると判定した場合、測定データ確認部３４は、演算開始指示信号を生成し、演算処理部３３に所定の演算処理を実行させる。
【００４９】
本実施形態に即して具体的に説明すると、第１〜第４測定領域Ｒ１〜Ｒ４の分光反射率測定データが取得されると、標準サンプルとしての塗料塗布層２３ａの吸収係数、散乱係数、Ｋ／Ｓ値等のパラメータの演算が可能になる。測定データ確認部３４は、これら４つの測定データが揃ったことが確認されると、標準サンプルについての演算を開始させる演算開始指示信号を生成し、演算処理部３３に前記パラメータを求める演算処理を自動的に開始させる。そして、この演算結果は、測定データ表示部５２の「標準サンプル」の各欄（図５参照）へ表示される。また、第１、第２、第５、第６測定領域Ｒ１、Ｒ２、Ｒ５、Ｒ６の分光反射率測定データが揃ったことが確認されると、比較サンプルについての演算を開始させる演算開始指示信号を生成し、演算処理部３３に演算処理を自動的に開始させる。この演算結果は、測定データ表示部５２の「比較サンプル」の各欄に表示される。
【００５０】
さらに、第１〜第６測定領域Ｒ１〜Ｒ６の全ての分光反射率測定データが揃うと、当該比較サンプルの評価値となる吸収係数比、散乱係数比、Ｋ／Ｓ比を求めることが可能となる。従って、測定データ確認部３４は、これら６つの測定データが揃ったことが確認されると、これら評価値を導出する演算を開始させる演算開始指示信号を生成し、演算処理部３３に演算処理を実行させる。この演算結果は、評価値表示部５３の各欄（図５参照）へ表示されるものである。このように、作業者が特に演算開始指示を与えずとも、自動的に評価値が導出されることから、効率良く測定作業を遂行させることができる。
【００５１】
データ整理部３５は、測定データ記憶部４１２に記憶された測定データを選択的に消去する機能を果たす。具体的には、データ整理部３５は、表示部１３に表示された測定対象物画像５１０の第１〜第６測定領域Ｒ１〜Ｒ６のいずれかに、操作部１２から所定の操作指示（継続測定の予告指示等）が与えられた場合に、その測定領域について取得されている既存の測定データを測定データ記憶部４１２から消去する。これを受けて、測定制御部３２は、消去された測定領域に対応する識別表示部Ｎ１〜Ｎ６の測定実行済の表示（本実施形態では「レ点」）を、測定実行未済に変更する（「レ点」を消去）。
【００５２】
上記データ整理部３５の機能は、同一形態の測定対象物を連続的に複数測定するような場合に、測定作業を効率化するために発揮される。１つのサンプル品２１について色の測定を終えた場合、グラフィック表示部５１には図７（ｂ）に示すように、全ての識別表示部Ｎ１〜Ｎ６に測定実行済表示Ｐ１〜Ｐ６が重畳された状態の画像が表示されることになる。また、測定データ記憶部４１２には、第１〜第６測定領域Ｒ１〜Ｒ６の測定データが記憶されている。引き続き同一形態の他のサンプル品２１の色測定が行われる場合があるが、この場合、少なくとも白下地２２１及び黒下地２２２の部分に相当する第１、第２測定領域Ｒ１、Ｒ２については測定データを共用できるケースが多く、第１〜第６測定領域Ｒ１〜Ｒ６の全てについて再度測定を行うのは効率が悪い。
【００５３】
そこで、このようなケースでは、例えば第３〜第６測定領域Ｒ３〜Ｒ６が継続測定を行う領域として操作部１２から選択操作が与えられると、データ整理部３５は、測定データ記憶部４１２から第３〜第６測定領域Ｒ３〜Ｒ６について取得されている既存の測定データを消去する。測定制御部３２は、第３〜第６測定領域Ｒ３〜Ｒ６に付随する識別表示部Ｎ３〜Ｎ６の測定実行済表示Ｐ３〜Ｐ６を消去する。これにより、再度のサンプル品２１の色測定に当たり、測定を行うべき箇所が識別表示部Ｎ３〜Ｎ６により明認できると共に、今回のサンプル品２１の評価値導出に前回のサンプル品２１の測定データが用いられてしまう不都合はない。
【００５４】
さらにデータ整理部３５は、第１〜第６測定領域Ｒ１〜Ｒ６の相互間の連関性を示す連関情報を読み出し可能とされており、かかる連関情報に基づき、互いに連関する測定領域のいずれかに前記選択操作が与えられると、その測定領域だけでなく他の測定領域の測定データも測定データ記憶部４１２から消去する。
【００５５】
本実施形態では、第３、第４測定領域Ｒ３、Ｒ４、また第５、第６測定領域Ｒ５、Ｒ６が、同一の塗料が塗布されている部分であることから、互いに連関する測定領域である。従って、例えば図８に示すように、第５測定領域Ｒ５（第１の測定要素）が継続測定を行う領域として選択された場合、データ整理部３５は、第５測定領域Ｒ５とこれに連関する第６測定領域Ｒ６（第２の測定要素）の測定データを測定データ記憶部４１２から消去する。第６測定領域Ｒ６が選択された場合も同様である。そして、測定制御部３２は、第５、第６測定領域Ｒ５、Ｒ６に付随する識別表示部Ｎ５、Ｎ６の測定実行済表示Ｐ５、Ｐ６を消去する。もし、第３〜第６測定領域Ｒ３〜Ｒ６が互いに連関する測定領域であるとの連関情報が保有されている場合は、これらのうちの１つの測定領域に対する選択が与えられると、残り３つの測定領域を加えた４つの測定領域の測定データが測定データ記憶部４１２から消去されるものである。これにより、一層作業効率を向上させることができる。
【００５６】
データ振り分け部３６は、測色計２で取得された測定データの妥当性、並びに該測定データの値に基づきそれがどの測定領域から取得されたものであるかを判別する。これは、作業者が測定対象物画像５１０上で選択した測定領域と、実際に測色計２で測定された測定領域とが異なってしまったような場合に、その測定で得られた測定データを本来の測定領域のものとして測定データ記憶部４１２へ書き込めるようにするためである。
【００５７】
データ振り分け部３６は、第１測定領域Ｒ１〜第６測定領域Ｒ６の各々について、取得が予定される測定データの値の範囲と、実際に測色計２で取得された測定データの値とを比較することにより、当該測定データがどの測定領域から取得されたものであるかを判別する。前記取得が予定される測定データの値は、ＲＡＭ４１の基準値記憶部４１３に、測定データの振り分け基準値として記憶されている。この振り分け基準値は、測定対象の色の性質から通常予想される範囲の数値であり、経験値から定められる。
【００５８】
データ振り分け部３６は、基準値記憶部４１３から振り分け基準値を読み出し、取得された測定データの測定領域を判別し、作業者により測定開始指示が与えられた測定領域と相違している場合は、測定データ記憶部４１２へ書き込む際に付帯させる識別情報を修正する。また、データ振り分け部３６は、取得された測定データがどの測定領域にもあてはまらない場合は、エラー判定を行い、これを表示部１３に表示させる。このようなデータ振り分け部３６を設けることで、測定データが誤った測定領域に関連付けて測定データ記憶部４１２に記憶されてしまうことを未然に防止することができる。
【００５９】
以上の構成を備える実施形態に係る測定システムＳの動作を説明する。図９は、測定システムＳの全体的なフローを示すフローチャートである。測定システムＳが起動されると（ステップＳ１）、表示制御部３１により表示データ記憶部４１１から画像データが読み出され（ステップＳ２）、表示部１３に図５に示したような測定ナビゲーション画面５０が表示される（ステップＳ３）。そして、サンプル品２１の第１測定領域Ｒ１〜第６測定領域Ｒ６に対応する部分について、作業者が定める任意の順序で、測色計２による色の測定が実施される（ステップＳ４）。このフローについては、図１０に基づき後記で詳述する。
【００６０】
第１測定領域Ｒ１〜第６測定領域Ｒ６についての測定データが揃ったら、演算処理部３３により評価値を導出するための演算が行われる（ステップＳ５）。この演算結果は、表示部１３に表示される（ステップＳ６）。本実施形態では、吸収係数比、散乱係数比及びＫ／Ｓ比が、評価値表示部５３の各欄（図５参照）に表示される。
【００６１】
その後、同じ色測定を他のサンプルについて行うか否かが確認される（ステップＳ７）。これは、操作部１２からどのような操作指示が与えられるかによる。同様な色測定を行う指示が操作部１２から与えられた場合（ステップＳ７でＹＥＳ）、ステップＳ３に戻って処理が繰り返される。一方、同様な色測定を行わない場合（ステップＳ７でＮＯ）、さらに別種類の色測定を行うか否かが確認される（ステップＳ８）。別種類の色測定を行う指示が操作部１２から与えられた場合（ステップＳ８でＹＥＳ）、ステップＳ２に戻り、当該別種類の色測定に応じた画像データが表示制御部３１により表示データ記憶部４１１から読み出されて表示部１３に表示され、処理が繰り返される。これに対し、別種類の色測定が行われない場合は（ステップＳ８でＮＯ）、測定システムＳが停止され（ステップＳ９）、処理を終える。
【００６２】
図１０は、図９に示したステップＳ４の多点測定処理の詳細フローを示すフローチャートである。表示部１３に測定ナビゲーション画面５０が表示された状態で、作業者から選択を受けるまで待機する（ステップＳ１１）。このとき作業者は、測色計２の測定用開口２ａを、自らが望む第１測定領域Ｒ１〜第６測定領域Ｒ６に対応する部分のいずれかに対向配置する。そして、実際に測定用開口２ａを対向させた測定領域に対応する測定対象物画像５１０上の測定領域をマウスでポインティングし、クリック操作を与える。かかる操作は、当該測定領域の測色を開始させる選択指示として測定制御部３２に受け付けられる（ステップＳ１２）。
【００６３】
かかる操作を受けて、データ整理部３５により、選択された測定領域について既存の測定データが測定データ記憶部４１２に存在するか否かが確認される（ステップＳ１３）。既存の測定データが存在する場合は、データ整理部３５は測定データ記憶部４１２からこれを消去する（ステップＳ１４）。既存の測定データが存在しない場合は、ステップＳ１４はスキップされる。
【００６４】
その後、測定制御部３２から測色計２に測定を実行させる制御信号が送信され、これを受けて、測色計２によるサンプル品２１の選択された領域の色測定が実行される（ステップＳ１５）。そして、該測定により取得された測定データ（分光反射率測定データ）が、測定制御部３２で受信される（ステップＳ１６）。
【００６５】
次に、データ振り分け部３６により、取得された測定データと、基準値記憶部４１３に記憶されている振り分け基準値とが比較され、当該測定データの妥当性をチェックする処理が実行される（ステップＳ１７）。前記振り分け基準値に照らして測定データが妥当である場合（ステップＳ１７でＹＥＳ）、その測定データは、選択された測定領域に関連付けて測定データ記憶部４１２に格納される（ステップＳ２１）。
【００６６】
一方、測定データが妥当でない場合（ステップＳ１７でＮＯ）、データ振り分け部３６により、この測定データが他の測定領域のものとして振り分け可能であるか否かが判定される（ステップＳ１８）。振り分け可能である場合（ステップＳ１８でＹＥＳ）、データ振り分け部３６は、当該測定データに付帯させる識別情報を振り分けた測定領域のものに変更する振り分け処理を行う（ステップＳ１９）。その上で、当該測定データは測定データ記憶部４１２に格納される（ステップＳ２１）。これに対し、振り分けが不能である場合（ステップＳ１８でＮＯ）は、データ振り分け部３６はエラー表示を表示部１３に行わせ（ステップＳ２０）、ステップＳ１１に処理を戻す。すなわち、作業者に再度の測定を促す。
【００６７】
しかる後、測定制御部３２により、測定が実行された測定領域に付随する識別表示部に、測定実行済を示す表示を行わせる制御を行う（ステップＳ２２）。具体的には、識別表示部Ｎ１〜Ｎ６のいずれかに、付加情報としての「レ点」を重畳表示させる（図７）。そして、測定データ確認部３４により、演算処理部３３による評価値の導出に際し、演算に必要な複数の測定データが取得されているか否かが判定される（ステップＳ２３）。所要数の測定データが揃っていない場合は（ステップＳ２３でＮＯ）、ステップＳ１１に戻って処理が繰り返される。一方、所要数の測定データが揃っている場合は（ステップＳ２３でＹＥＳ）、測定データ確認部３４は演算処理部３３に評価値を導出するための演算を行わせる（ステップＳ５）。
【００６８】
以上説明した実施形態に係る測定システムＳによれば、所要数の複数の測定データを取得し該測定データを用いて所定の評価値を導出する測定作業において、作業者は自身に都合の良いよう任意に測定順序を設定でき測定の自由度が担保される。例えば、図１１（ａ）に示すように、測定領域Ｒが複数存在する場合において、これら測定領域Ｒに図１１（ｂ）に示すように機械的に左上側からナンバリングをし、その丸数字で示す順に測定を行うようナビゲートすることが考えられる。しかし、この場合、丸数字３の測定領域から丸数字４の測定領域、丸数字６の測定領域から丸数字７の測定領域の移動量が大きくなり、測定装置の移動に手間取ることも考えられる（例えば測定手段としてＸＹテーブル移動する顕微鏡等を用いるような場合）。これに対し、実施形態に係る測定システムＳでは、例えば図１１（ｃ）に示すように移動量が最小となるルートで測定を順次実行させることが可能となる。
【００６９】
さらに、どのような順序で測定要素の測定を行ったとしても、識別表示部Ｎ１〜Ｎ６でその進捗を確認できることから、同一測定領域の重複測定や測定抜けを抑止することができる。また、作業者は測定データを自身で記録する必要がないので、作業効率を向上させることができる。加えて、測定データ確認部３４により、評価値の導出に必要な測定データが揃った段階で演算処理部３３に自動的に評価値を求める演算を実行させるので、効率良く評価値を導出することができる。このように本発明によれば、測定ミスを防ぎ、評価値の導出に必要な測定データを確実に収集し、効率良く評価値を得るための支援を行うことができる。
【００７０】
以上、本発明の実施形態につき説明したが、本発明はこれに限定されるものではない。例えば次のような変形実施形態を取ることができる。
【００７１】
（１）上記実施形態では、評価値として吸収係数比、散乱係数比及びＫ／Ｓ比を導出する例を示した。これに代えて、例えば塗料の隠蔽力を評価値として求めるケースにも適用することができる。図１２は、この隠蔽力評価用として、表示制御部３１により表示部１３に表示される測定ナビゲーション画面６０を示す平面図である。この測定ナビゲーション画面６０には、グラフィック表示部６１及び評価値表示部６２が含まれている。また、グラフィック表示部６１には、白下地の部分に相当する白色部分６１１、黒下地の部分に相当する黒色部分６１２及びサンプル塗料塗布層の部分に相当する塗布部分６１３を有し、これらの部分の各輪郭線が視認可能な測定対象物画像６１０が表示されている。
【００７２】
このような表示により測定対象物画像６１０は、４つの測定領域に視覚的に区画されている。そして、４つの測定領域のそれぞれに付随させて、丸数字からなる識別表示部が設定されている。これら４つの測定領域をそれぞれの測定領域の色測定の開始指示を受け付ける部位として機能させ、先の実施形態と同様にして、終局的に隠蔽力を評価値として求めるよう測定システムＳを構成しても良い。
【００７３】
（２）上記実施形態では、測定対象物が、色特性の異なる複数の領域を含む物品（図２に示すサンプル品２１）であり、測定手段が測色計２である例を示した。本発明における測定対象物及び測定手段はこれに限定されるものではなく、長さ、厚さ、直径などの距離パラメータ、温度や湿度に関するパラメータ、輝度、光輝度、明度、屈折率、透明度などの光学パラメータ、粗面度、湾曲度、溝深さなどの形状に関するパラメータ、あるいは液体、固体、気体の各種物性パラメータを計測可能な測定手段を用い、その測定手段により取得された複数のパラメータを使用して所定の評価値を導出する各種のケースに適用可能である。
【００７４】
（３）上記実施形態では、サンプル品２１の画像上の区画そのものを選択情報とする例を示した。これに代えて、測定内容を記述したボタン画像を測定対象物の画像に付帯させて選択情報としても良い。図１３に、そのような実施態様を示す。図１３は、測定対象物が、立体形状を備えた物品であり、測定手段が、三次元形状計測器である場合に、表示部１３に表示される測定ナビゲーション画面のグラフィック表示部７１における表示態様の一例を示す平面図である。
【００７５】
このグラフィック表示部７１には、三次元形状を測定される孔付き円筒体の画像７１０と、三次元形状計測器による測定アングルを記述する「正面」、「左前方」、「右前方」、「右斜め上方」という文言からなり、当該アングルからの三次元形状の測定の開始指示を受け付ける部位として機能するボタン画像部Ｒ１１〜Ｒ１４と、これらボタン画像部Ｒ１１〜Ｒ１４にそれぞれ付随されたチェックボックス画像からなる識別表示部Ｎ１１〜Ｎ１４を備えている。この場合、例えば三次元形状計測器を測定対象物である孔付き円筒体の正面に配置した上で、「正面」のボタン画像部Ｒ１１にクリック操作を与えることで当該アングルからの測定を実行させ、測定が完了したら識別表示部Ｎ１１に「レ点」が付与されるよう構成することができる。
【００７６】
（４）この他、本発明を適用して評価値を求める例を図１４に示す。図１４（ａ）は、４種の帯状カラーパッチ７２１〜７２４が基板上に並べられた測定試料７２を示している。このような測定試料７２を用い、本発明を適用して、評価値として例えば塗料サンプルの耐光性評価値を求めたり、プリンタ等のＩＣＣプロファイルを作成したりすることができる。
【００７７】
図１４（ｂ）は、基板上に複数の突起物７３１〜７３４が存在している測定試料７３を示している。このような測定試料７３を用い、測定手段としてＣＣＤエリアセンサ等を用いることで、例えば回路基板のはんだサイズの評価値を求めたり、塗料板、カラーフィルタ、ガラス板等の傷の大きさに関する評価値を求めたりすることができる。
【００７８】
図１４（ｃ）は、自動車の全体が測定試料７４とされる例を示している。例えば、フロントバンパー７４１、ボンネット７４２、前ドア７４３、後ドア７４４及びリアバンパー７４５を測定領域とし、例えばこれらの間の色差を評価値として求めることができる。このような大型の試料に対しても本発明は適用可能である。
【００７９】
（５）上記実施形態では、測定制御部３２が、操作部１２から第１測定領域Ｒ１〜第６測定領域Ｒ６のいずれかに対して与えられる開始指示を受けて、測色計２による当該測定領域の測定を実行させる例を示した。しかし、開始指示が与えられると直ちに測色計２に測定を実行させなくとも良く、開始指示が与えられると測定スタンバイ状態（測定を実行可能な状態）とし、例えば測色計２に備えられている開始スイッチ等が押下されることで実際の測定が開始されるように構成しても良い。
【００８０】
（６）本発明に係る実施品の提供形態として、上述の測定システムＳとしてではなく、このシステムが行う処理を実行する動作プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。若しくは、図３に示すパーソナルコンピュータに備えられているＲＯＭ４２に記録させて、プログラムを提供することもできる。また、ネットワークを介したダウンロードによって、プログラムを提供することもできる。
【図面の簡単な説明】
【００８１】
【図１】本発明の実施形態に係る測定システムＳのハード構成を示す構成図である。
【図２】塗料や顔料の品質評価において用いられるサンプル品の一例を示す斜視図である。
【図３】図１に示した測定システムＳの電気的構成を示す概略ブロック図である。
【図４】本実施形態で用いられるパーソナルコンピュータの機能的な詳細構成を示す機能ブロック図である。
【図５】表示部に表示される画像の一例である測定ナビゲーション画面を示す平面図である。
【図６】グラフィック表示部に表示されるサンプル品の画像を拡大して示す平面図である。
【図７】（ａ）、（ｂ）は、測定実行済表示の一例を示す平面図である。
【図８】データ整理部の機能を説明するための平面図である。
【図９】測定システムＳの全体的なフローを示すフローチャートである。
【図１０】図９に示したステップＳ４の多点測定処理の詳細フローを示すフローチャートである。
【図１１】（ａ）〜（ｃ）は、本発明を適用した場合の測定の自由度を説明するための模式図である。
【図１２】表示部に表示される画像の他の例である測定ナビゲーション画面を示す平面図である。
【図１３】選択情報の他の態様を示す平面図である。
【図１４】（ａ）〜（ｃ）は、本発明を適用して評価値を求める他の例を示す模式図である。
【符号の説明】
【００８２】
１  パーソナルコンピュータ
１１  本体部
１２  操作部（選択手段）
１３  表示部（表示手段）
２  測色計（測定手段）
２１  サンプル品（測定対象物）
３  ＣＰＵ
３１  表示制御部（表示制御手段）
３２  測定制御部（測定制御手段）
３３  演算処理部（演算手段）
３４  測定データ確認部（データ確認手段）
３５  データ整理部（データ整理手段）
３６  データ振り分け部（判別手段）
４１  ＲＡＭ
４２  ＲＯＭ
４１１  表示データ記憶部
４１２  測定データ記憶部
４１３  基準値記憶部（基準値記憶手段）
５０  測定ナビゲーション画面
５１  グラフィック表示部
５２  測定データ表示部
５３  評価値表示部
５１０  測定対象物画像（イメージ情報）
Ｒ１〜Ｒ６  測定領域（測定要素）
Ｎ１〜Ｎ６  識別表示部
Ｐ１〜Ｐ６  測定実行済表示
【図１】
2008083003.tif 000003
【図２】
2008083003.tif 000004
【図３】
2008083003.tif 000005
【図４】
2008083003.tif 000006
【図５】
2008083003.tif 000007
【図６】
2008083003.tif 000008
【図７】
2008083003.tif 000009
【図８】
2008083003.tif 000010
【図９】
2008083003.tif 000011
【図１０】
2008083003.tif 000012
【図１１】
2008083003.tif 000013
【図１２】
2008083003.tif 000014
【図１３】
2008083003.tif 000015
【図１４】
2008083003.tif 000016